(57)【要約】【課題】速やかに乾燥させることができる足浴器を得る。【解決手段】挿入される足を収納する収納室２８を備え、送風する送風器３６と、送風器３６からの空気を加熱する加熱器３８と、加湿する加湿器４０とを設けて、収納室２８に加湿した温風を供給する。足が載せられる足載せ台３０，３２を収納室２８に設けると共に、足載せ台３０，３２を加熱する電熱ヒータ３４を設ける。また、立設した仕切板２４により浴槽室２２を発生室２６と収納室２８とに仕切り、仕切板２４は、足載せ台３０，３２の爪先側を囲んで湾曲して形成され、更に、送風器３６からの送風による温風を発生室２６から側壁に沿って収納室２８に供給する供給流路５４，５６を設けた。加湿器４０は蒸気を発生して加湿する。【選択図】図６
2008168076.tif 000002
【特許請求の範囲】
【請求項１】
挿入される足を収納する収納室を備え、前記足を温浴する足浴器において、
送風する送風器と、該送風器からの空気を加熱する加熱器と、加湿する加湿器とを設けて、前記収納室に加湿した温風を供給することを特徴とする足浴器。
【請求項２】
前記足が載せられる足載せ台を前記収納室に設けると共に、前記足載せ台を加熱するヒータを設けたことを特徴とする請求項１に記載の足浴器。
【請求項３】
立設した仕切板により浴槽室を発生室と前記収納室とに仕切り、前記送風器からの送風による前記温風を前記発生室から側壁に沿って前記収納室に供給する供給流路を形成したことを特徴とする請求項１又は請求項２に記載の足浴器。
【請求項４】
前記足が載せられる足載せ台を前記収納室に設けると共に、前記足載せ台を加熱するヒータを設け、
また、立設した仕切板により浴槽室を発生室と前記収納室とに仕切り、前記仕切板は、前記足載せ台の爪先側を囲んで湾曲して形成され、更に、前記送風器からの送風による前記温風を前記発生室から側壁に沿って前記収納室に供給する供給流路を設けたことを特徴とする請求項１に記載の足浴器。
【請求項５】
前記加湿器は蒸気を発生して加湿することを特徴とする請求項１ないし請求項４のいずれかに記載の足浴器。
【発明の詳細な説明】
【技術分野】
【０００１】
本発明は、足を収納室に収納して、収納室に供給される加湿した温風により温浴する足浴器に関する。
【背景技術】
【０００２】
従来より、特許文献１にあるように、足を挿入して、スチーム発生装置からのスチームにより温浴する足浴器が提案されている。このような足浴器では、ヒータによりスチームを発生させ、足浴器内の温度を検出するセンサを設け、センサにより検出される温度が設定温度以上となったときには、ヒータによる加熱を止めてスチームの発生を停止するようにしている。
【特許文献１】特開２００５−１３７２１号公報
【発明の開示】
【発明が解決しようとする課題】
【０００３】
しかしながら、こうした従来のものでは、足がスチームにさらされるので、足の表面には水分が付着する。温浴を終了して、足を足浴器から引き出す際には、直ちにタオル等で足を拭かないと、雫が垂れて、足浴器や周囲を濡らしてしまうという問題があった。また、同様に、足浴器内にも水分が付着しているので、使用後は乾燥させないと、カビの発生や雑菌の繁殖等を招く場合があるという問題があった。
【０００４】
本発明の課題は、速やかに乾燥させることができる足浴器を提供することにある。
【課題を解決するための手段】
【０００５】
かかる課題を達成すべく、本発明は課題を解決するため次の手段を取った。即ち、
挿入される足を収納する収納室を備え、前記足を温浴する足浴器において、
送風する送風器と、該送風器からの空気を加熱する加熱器と、加湿する加湿器とを設けて、前記収納室に加湿した温風を供給することを特徴とする足浴器がそれである。
【０００６】
前記足が載せられる足載せ台を前記収納室に設けると共に、前記足載せ台を加熱するヒータを設けた構成としてもよい。また、立設した仕切板により浴槽室を発生室と前記収納室とに仕切り、前記送風器からの送風による前記温風を前記発生室から側壁に沿って前記収納室に供給する供給流路を形成した構成としてもよい。
【０００７】
あるいは、前記足が載せられる足載せ台を前記収納室に設けると共に、前記足載せ台を加熱するヒータを設け、また、立設した仕切板により浴槽室を発生室と前記収納室とに仕切り、前記仕切板は、前記足載せ台の爪先側を囲んで湾曲して形成され、更に、前記送風器からの送風による前記温風を前記発生室から側壁に沿って前記収納室に供給する供給流路を設けた構成としてもよい。前記加湿器は蒸気を発生して加湿する構成でもよい。
【発明の効果】
【０００８】
本発明の足浴器は、送風器、加熱器、加湿器を備えているので、加湿することなく、送風器のみにより送風を行うことができ、また、送風器と加熱器とにより温風を送ることもでき、温浴終了後は足や収納室を速やかに乾燥させることができるという効果を奏する。また、足載せ台を加熱するヒータを設けることにより、足裏をもむら無く温浴させることができる。更に、仕切板により発生室と収納室とに仕切り、温風を発生室から側壁に沿って収納室に供給する供給流路を設けることにより、温風や蒸気が直接、足に当たって過度に加熱されるのを防止できる。
【発明を実施するための最良の形態】
【０００９】
以下本発明を実施するための最良の形態を図面に基づいて詳細に説明する。
図１〜図３に示すように、１は本体で、本体１は底板２と、底板２の左右に立設された一対の側板４，６と、一対の側板４，６の上端に張り渡された天板８とを備えている。底板２の底には複数のキャスター１０が取り付けられ、天板８上には取手部材１２が取り付けられている。
【００１０】
一対の側板４，６と天板８とは、底板２の半分程度の幅に形成されて、底板２の半分が一対の側板４，６と天板８とにより覆われて、残りの半分は解放されている。底板２と側板４，６と天板８とに囲まれた中空内部に、背面板１４が配置されている。
【００１１】
背面板１４は、図６に示すように、一対の側板４，６の内側に沿って、底板２と側板４，６と天板８とに囲まれた内部に延ばされ、本体１の背面側が背面板１４により覆われている。また、背面板１４は、底板２から立設されると共に、天板８の内側の近傍まで延ばされた後、天板８の内側に沿って前側に引き出されて、天板８の前縁に取り付けられている。
【００１２】
一対の側板４，６と天板８とにより覆われていない底板２上には、観音開き式の扉１６が設けられている。扉１６は、左扉部材１８と右扉部材２０とを備え、左右扉部材１８，２０を開いた際には、左右扉部材１８，２０がそれぞれ中程で折れ曲がって、左右に大きく開口されるように構成されている。尚、本実施形態では、扉１６側を前側としている。
【００１３】
これにより、底板２と、背面板１４と、左右扉部材１８，２０とにより囲まれて、浴槽室２２が形成されている。浴槽室２２は一部上方が開口されて、浴槽室２２内に足を挿入した状態で、左右扉部材１８，２０を閉じることができるように構成されている。
【００１４】
浴槽室２２内の底板２には仕切板２４が立設されており、図５に示すように、仕切板２４の上端は背面板１４に接続されている。この仕切板２４により、浴槽室２２が発生室２６と収納室２８とに仕切られている。発生室２６は背面板１４と仕切板２４とにより囲まれ、収納室２８は左右扉部材１８，２０と仕切板２４とにより囲まれて形成されている。
【００１５】
収納室２８内の底板２上には、左右一対の足載せ台３０，３２が配置されている。足載せ台３０，３２には、の電熱ヒータ３４（図５参照。一方のみ図示する。）が組み込まれており、電熱ヒータ３４により足載せ台３０，３２を加熱することができるように構成されている。
【００１６】
発生室２６内には、送風器３６、加熱器３８、加湿器４０が配置されている。送風器３６は、モータによりファンを回転させて空気を送風する周知のもので、発生室２６内の空気を吸い込んで加熱器３８に送風する。
【００１７】
加熱器３８は、送風器３６により送風された空気をヒータ４２により加熱するもので、左右両側に吐出ノズル４４，４５が設けられている。加熱器３８と送風器３６とは一体に組み立てられている。
【００１８】
加湿器４０は、水をヒータ４６により加熱して蒸気を発生させて加湿するもので、加湿器４０は底板２上に配置されると共に、一部が背面板１４から発生室２６の外部に露出されている。加湿器４０には給水ノズル４８が設けられており、給水ノズル４８を介して給水ができるように構成されている。
【００１９】
加湿器４０で発生した蒸気は、一対の供給管５０，５１を介して、発生室２６内に配置された一対の吐出ノズル５２，５３から吐出されるように構成されている。尚、加湿器４０は蒸気を発生するものに限らず、超音波振動等によりミストを発生させるものでもよい。また、加湿器４０や加熱器３８に、薬効材や芳香剤等を配置して、薬効成分や芳香を吐出する蒸気や温風に含ませるようにしてもよい。
【００２０】
発生室２６と収納室２８とは、左右に設けられた供給流路５４，５６により連通されており、供給流路５４，５６は、図５、図６に示すように、背面板１４と仕切板２４とにより形成されている。仕切板２４は一対の足載せ台３０，３２の爪先側を囲むように、湾曲して形成されると共に、背面板１４との間に供給流路５４，５６が形成される隙間が空けられて配置されている。
【００２１】
これにより、供給流路５４，５６は、発生室２６から背面板１４の左右側壁に沿って形成され、供給流路５４，５６は収納室２８に、前方に向かって開口されている。また、加熱器３８の吐出ノズル４４，４５と、加湿器４０の吐出ノズル５２，５３は、発生室２６から供給流路５４，５６に向かって、前方に吐出されるように配置されている。
【００２２】
次に、前述した本実施形態の足浴器の作動について説明する。
まず、左右扉部材１８，２０を左右に開けて、一対の足載せ台３０，３２に左右の足を載せる。そして、左右扉部材１８，２０を閉じて、足を収納室２８に収納してから、送風器３６、加熱器３８、加湿器４０を駆動すると共に、足載せ台３０，３２の電熱ヒータ３４を駆動させる。
【００２３】
よって、送風器３６は発生室２６内の空気を吸い込んで、送風器３６から加熱器３８に送風され、加熱器３８は空気をヒータ４２により加熱して、吐出ノズル４４，４５から供給流路５４，５６に温風を吐出する。また、加湿器４０は蒸気を発生して、一対の吐出ノズル５２，５３から供給流路５４，５６に吐出する。
【００２４】
供給流路５４，５６に吐出された温風と蒸気は、混じり合いながら、供給流路５４，５６から収納室２８に供給されて、収納室２８を加温・加湿する。温風と蒸気とが供給された収納室２８内は、高温・多湿の状態となり、収納室２８に挿入された足を温浴し、温浴効果を得られる。
【００２５】
また、電熱ヒータ３４により、足載せ台３０，３２が加熱されて、足載せ台３０，３２に載せられている足裏を加熱する。これにより、足裏が足載せ台３０，３２に載せられていても、足の表側が温風と蒸気とにより加温されるだけでなく、足裏も加温されるので、足裏をもむら無く温浴させることができ、温浴効果を高められる。
【００２６】
左右の供給流路５４，５６は、背面板１４の側壁に沿って、温風と蒸気とを収納室２８に導くので、足に直接これらが当たって過度に加熱されるのを抑制することができる。また、仕切板２４が爪先を囲むようにして設けられているので、同様に、爪先が過度に加熱されるのを抑制できる。
【００２７】
送風器３６、加熱器３８、加湿器４０がそれぞれ別々に設けられているので、それぞれ個々に駆動することが可能であるので、加湿器４０を駆動することなく、送風器３６のみにより送風を行うことができ、また、送風器３６と加熱器３８とにより温風を送ることもできる。
【００２８】
よって、温浴終了後は、例えば、送風器３６と加熱器３８とにより温風を送って、足を速やかに乾燥させることができる。また、足を収納室２８から引き出した後、送風器３６のみを駆動、あるいは、送風器３６と加熱器３８とを駆動して、収納室２８を速やかに乾燥させることもできる。これにより、カビの発生や雑菌の繁殖等を防止することができる。
【００２９】
以上本発明はこの様な実施形態に何等限定されるものではなく、本発明の要旨を逸脱しない範囲において種々なる態様で実施し得る。
【図面の簡単な説明】
【００３０】
【図１】本発明の一実施形態としての足浴器の正面図である。
【図２】本実施形態の足浴器の側面図である。
【図３】本実施形態の足浴器の平面図である。
【図４】仕切板を二点鎖線で示す図２のＡＡ断面図である。
【図５】送風器、加熱器、加湿器は外形を示す図１のＢＢ断面図である。
【図６】図１のＣＣ断面図である。
【符号の説明】
【００３１】
１…本体        ２…底板
４，６…側板    ８…天板
１０…キャスター  １２…取手部材
１４…背面板    １６…扉
１８…左扉部材  ２０…右扉部材
２２…浴槽室    ２４…仕切板
２６…発生室    ２８…収納室
３０，３２…足載せ台    ３４…電熱ヒータ
３６…送風器    ３８…加熱器
４０…加湿器    ４２…ヒータ
４４，４５…吐出ノズル  ４６…ヒータ
４８…給水ノズル  ５０，５１…供給管
５２，５３…吐出ノズル    ５４，５６…供給流路
【図１】
2008168076.tif 000003
【図２】
2008168076.tif 000004
【図３】
2008168076.tif 000005
【図４】
2008168076.tif 000006
【図５】
2008168076.tif 000007
【図６】
2008168076.tif 000008